(57)【要約】【課題】  給電ハーネスをなくして、露光ランプに電力を供給することができる画像読み取り装置を提供する。【解決手段】  画像読み取り手段を構成する走行体（第１走行体１、第２走行体３）が露光走査することでコンタクトガラス７上に載置された原稿画像を読み取る露光走査方式の画像読み取り装置において、露光ランプ２が搭載された走行体（第１走行体１）に、充電可能で露光ランプ２に電力を供給する蓄電池２５を搭載した。【選択図】        図１
2005345916.tif 000002
【特許請求の範囲】
【請求項１】
画像読み取り手段を構成する走行体が露光走査することでコンタクトガラス上に載置された原稿画像を読み取る露光走査方式の画像読み取り装置において、露光ランプが搭載された走行体に、充電可能で露光ランプに電力を供給する蓄電池を搭載したことを特徴とする画像読み取り装置。
【請求項２】
請求項１記載の画像読み取り装置において、走行体の待機位置近傍で蓄電池に充電を行うために、蓄電池と対向する本体側板位置に充電器を配置したことを特徴とする画像読み取り装置。
【請求項３】
請求項１記載の画像読み取り装置において、蓄電池の充電状態を監視し、充電状態を表示する表示手段を備えたことを特徴とする画像読み取り装置。
【請求項４】
請求項１、２又は３に記載の画像読み取り装置を備えたことを特徴とする画像形成装置。
【発明の詳細な説明】
【技術分野】
【０００１】
本発明は、画像読み取り手段が露光走査することでコンタクトガラス上に載置された原稿画像を読み取る露光走査方式の画像読み取り装置に関し、特に画像読み取り手段に備えられた露光ランプへの電力供給技術に関する。
【背景技術】
【０００２】
図４は一般的な露光走査方式の画像読み取り装置の構成図である。この画像読み取り装置自身は周知であるため、本発明と対比する部分（関係のある部分）のみ説明する。
第１走行体１に搭載された露光ランプ２に電力を供給するための給電ハーネス４が、第２走行体３に取り付けられたハーネスガイド部材５に掛け渡され電源６に接続されている。コンタクトガラス７上に載置された原稿は、画像読み取り手段を構成する第１走行体１、第２走行体３が共役長を保ちながら図の左側から右側に移動する過程で走査され、結像レンズ８を介してＣＣＤ９上に結像されることでその画像が読み取られる。
【発明の開示】
【発明が解決しようとする課題】
【０００３】
上述したように、従来の露光走査方式の画像読み取り装置では、露光ランプに電力を供給するための給電ハーネスを必要とするため、給電ハーネスと走行体の接触により走行体の走行性能を低下させたり、走行体が往復走査を繰り返すことにより給電ハーネスが損傷する、具体的には磨耗、断線などの不具合が生じることがある。
本発明は、上記従来技術の問題を解決するためになされたもので、給電ハーネスをなくして、露光ランプに電力を供給することができる画像読み取り装置を提供することを目的とする。
【課題を解決するための手段】
【０００４】
上記目的を達成するために、請求項１記載の発明は、画像読み取り手段を構成する走行体が露光走査することでコンタクトガラス上に載置された原稿画像を読み取る露光走査方式の画像読み取り装置において、露光ランプが搭載された走行体に、充電可能で露光ランプに電力を供給する蓄電池を搭載した画像読み取り装置を最も主要な特徴とする。
請求項２記載の発明は、請求項１記載の画像読み取り装置において、走行体の待機位置近傍で蓄電池に充電を行うために、蓄電池と対向する本体側板位置に充電器を配置した画像読み取り装置を主要な特徴とする。
請求項３記載の発明は、請求項１記載の画像読み取り装置において、蓄電池の充電状態を監視し、これを表示する画像読み取り装置を主要な特徴とする。
請求項４の発明は、請求項１、２又は３に記載の画像読み取り装置を備えた画像形成装置を主要な特徴とする。
【発明の効果】
【０００５】
本発明によれば、画像読み取り手段を構成する走行体が露光走査することでコンタクトガラス上に載置された原稿画像を読み取る露光走査方式の画像読み取り装置において、露光ランプが搭載された走行体に、充電可能で露光ランプに電力を供給する蓄電池を搭載したので、従来必要であった給電ハーネスをなくすことができ、給電ハーネスの存在に起因する種種の不具合を解消することができる。
【発明を実施するための最良の形態】
【０００６】
以下、本発明の実施の形態を図面に基づき詳細に説明する。
図１は本発明の実施の形態に係る画像読み取り装置の概略構成図である。第１走行体１には露光ランプ２であるキセノンランプ、インバータ回路１１、後述する蓄電池が搭載してある。
図２は図１に示す第１走行体部分の上面図である。画像読み取り装置の構造フレームである前側板２１と後側板２２との間に挟まれた状態で第１走行体１がある。第１走行体は、矢印方向へ進退するが、この図で示す状態は待機状態であり、第１走行体１がホームポジション近辺で待機している状態を示している。後側版２２に取り付けられたホームポジションセンサ２３は第１走行体１の一部を非接触で検知する構成となっている。
従来は、可動部材である第１走行体に対して固定された電源から電力を供給するためにハーネスを使用する必要があったため、種々の不具合が発生していたが、本発明では第１走行体に蓄電池を搭載し、ホームポジションにおいて充電できるように構成したので、従来の不具合を一挙に解決できる。
前側板２１に取り付けられた充電器２４は第１走行体１に搭載した蓄電池２５を充電するためにこの位置に配置されている。この充電器２４と蓄電池２５は金属端子による接触型のものでも良いが、磁気誘導方式による非接型のものを使用すれば、第１走行体１の走査性能に悪影響を与えないなどの更なるメリットがある。
【０００７】
蓄電池２５としては、急速充電が可能なニッケル水素電池や高電圧、高エネルギー密度を持ったリチウムイオン電池が適している。特にリチウムイオン電池は、ニッカド電池やニッケル水素電池と比べ、同じ放電エネルギーを確保するのに、体積は６割から８割、重量は約半分という優れた特徴を持っている。また、電圧も３倍以上を得られるため、ニカド電池やニッケル水素電池３本分の電圧を１本でまかなうことができる。そして最大の特徴は、鉛や水銀、カドミウムを使用してないため、使用済み後も環境を汚染することなく処理できる点である。
蓄電池２５は、給電ハーネスを削除する観点から走行体そのものに搭載する必要があるが、この場合、走行体の走査性能を確保し、安定した電力を供給する意味では蓄電池２５を薄型、ランプ長手方向に長い形状とし、第１走行体フレームに直接取り付けるようにすることが望ましい。これにより低重心を保ち、走行体の走査性能を維持しながら蓄電池２５の発熱を適度に放熱可能とし、安定した電力を露光ランプ２に供給することが可能となる。
次に、本発明では、蓄電池の充電状態を監視し、これを表示する構成とすることにより、オペレータは電池切れに起因した画像形成動作の中断、或いは画質の低下について未然に警告を受けることができる。
即ち、図３は充電状態監視のフローチャートである。操作表示パネルに、現在の充電状況から判断し（Ｓ１）、コピー可能表示（Ｓ２）もしくはコピー不可能表示（Ｓ３）を行う。
なお、上記各実施形態に記載した画像読み取り装置は、複写機、プリンタ、ファクシミリ装置などの画像読み取り手段としても適用することができる。
【図面の簡単な説明】
【０００８】
【図１】本発明の実施の形態に係る画像読み取り装置の概略構成図。
【図２】図１に示す第１走行体部分の上面図。
【図３】充電状態監視のフローチャート。
【図４】一般的な露光走査方式の画像読み取り装置の構成図。
【符号の説明】
【０００９】
１  第１走行体、２  露光ランプ、３  第２走行体、７  コンタクトレンズ、１１  インバータ回路、２４  充電器、２５  蓄電池
【図１】
2005345916.tif 000003
【図２】
2005345916.tif 000004
【図３】
2005345916.tif 000005
【図４】
2005345916.tif 000006